(57)【要約】      （修正有）【課題】ユーザの設定に従って所定機能が制限されている状態を、解除するための解除キーとして、記憶装置に記憶されたデータを利用する表示装置において、データの内容に関わらず、ユーザが忘れにくい解除キーを容易に設定可能にする。【解決手段】表示装置への表示を制限するコンテンツについて、当該制限を解除する解除用固有文字列として記憶装置に記憶されている各コンテンツのコンテンツ名のうち、ユーザが指定したコンテンツ名を用いる場合において、ユーザが解除用固有文字列として指定するコンテンツ名の候補として、最も表示回数の多いコンテンツ、外部の情報端末から直近に受信したコンテンツ、最も延べ表示時間が長いコンテンツ、および、直近に評価値（ユーザが設定するコンテンツの重要度）が設定されたコンテンツの、各コンテンツ名を表示する。【選択図】図１２
2010160663.tif 000002
【特許請求の範囲】
【請求項１】
表示部を備えた表示装置であって、
少なくとも前記表示部に表示させるコンテンツの内容、前記コンテンツに対応するコンテンツ対応固有文字列、および、前記コンテンツについてなされた操作内容に対応して設定された属性を記憶する記憶部と、
前記記憶部に記憶されたコンテンツのコンテンツ対応固有文字列の中から選択された前記表示装置の所定機能の制限を解除できる解除用固有文字列と、前記解除用固有文字列と異なり前記制限を解除できない解除不能固有文字列と、を列挙した制限解除用一覧を、前記表示部に表示させる一覧表示制御部と、
前記表示部に表示された前記制限解除用一覧から少なくとも一つの固有文字列を選択する選択部と、
前記制限解除用一覧から、前記選択部によって前記解除用固有文字列が選択された場合には、前記所定機能の制限を解除し、前記解除不能固有文字列が選択された場合には、前記所定機能の制限を解除しない解除制御部と、
前記記憶部に記憶されたコンテンツのコンテンツ対応固有文字列の中から、前記属性に基づいて選択したコンテンツ対応固有文字列を、前記解除用固有文字列の候補として前記表示部に表示させる候補表示制御部と、
前記候補表示制御部によって前記候補として表示されたコンテンツ対応固有文字列を、前記解除用固有文字列とするように外部から指示操作がされた場合、前記候補として表示されたコンテンツ対応固有文字列を前記解除用固有文字列として設定する解除用固有文字列設定部と、
を有することを特徴とする表示装置。
【請求項２】
前記コンテンツの操作内容に対応した前記属性は、
前記コンテンツを外部から受信した受信日時、前記コンテンツが表示された表示回数、前記コンテンツが表示されていた延べ表示時間、および、前記コンテンツの内容の重要度を表す評価値が設定された設定日時のうちいずれか１種類または複数種類であり、
前記候補表示制御部は、
前記各コンテンツ対応固有文字列に対応するコンテンツの中で、前記受信日時が直近のコンテンツ、前記表示回数が最も多いコンテンツ、前記延べ表示時間が最も長いコンテンツ、および、前記設定日時が直近のコンテンツのうち、少なくとも１つのコンテンツの前記コンテンツ対応固有文字列を、前記解除用固有文字列の候補として表示する
ことを特徴とする請求項１に記載の表示装置。
【請求項３】
前記候補表示制御部は、
前記コンテンツの操作内容に対応した前記属性に基づいて選択した前記コンテンツ対応固有文字列を、前記解除用固有文字列の候補として表示したときに、該表示したコンテンツ対応固有文字列を前記解除用固有文字列とするように指示が入力されなかった場合、該コンテンツ対応固有文字列を選択した際の前記属性に基づいて、異なるコンテンツ対応固有文字列を改めて選択し、前記候補として表示する
ことを特徴とする請求項１または２に記載の表示装置。
【請求項４】
前記候補表示制御部は、
前記コンテンツの操作内容に対応した前記属性に基づいて選択した前記コンテンツ対応固有文字列を、前記解除用固有文字列の候補として表示したときに、該表示したコンテンツ対応固有文字列を前記解除用固有文字列とするように指示が入力されなかった場合、該コンテンツ対応固有文字列を選択した際の前記属性とは異なる属性に基づいて、異なるコンテンツ対応固有文字列を改めて選択し、前記候補として表示する
ことを特徴とする請求項１から３のうちいずれか１項に記載の表示装置。
【請求項５】
前記候補表示制御部は、
前記選択部により、解除用固有文字列が選択された場合、前記解除制御部により前記制限が解除される前に、次に前記表示装置の所定機能が制限されたときに該制限を解除できる解除用固有文字列の候補を前記表示部に表示し、
前記解除制御部は、
前記選択部により、前記表示した解除用固有文字列の候補が、前記次の解除用固有文字列として選択された後に前記制限を解除する
ことを特徴とする請求項１から４のうちいずれか１項に記載の表示装置。
【請求項６】
外部から前記コンテンツを受信したときに、該受信日時を、該コンテンツの操作内容に対応した前記属性として付与する受信日時付与部
を具備することを特徴とする請求項２から５うちいずれか１に記載の表示装置。
【請求項７】
前記表示部にコンテンツが表示されると、該コンテンツの操作内容に対応した前記属性に含まれる前記表示回数を加算する表示回数更新部
を具備することを特徴とする請求項２から６うちいずれか１項に記載の表示装置。
【請求項８】
前記表示部にコンテンツが表示されるごとにその表示時間を計時し、該計時した表示時間を該コンテンツの操作内容に対応した前記属性に含まれる前記延べ表示時間に加算する表示時間更新部
を具備することを特徴とする請求項２から７のうちいずれか１項に記載の表示装置。
【請求項９】
前記コンテンツに対して前記評価値が設定された場合、該コンテンツの操作内容に対応した前記属性に含まれる前記評価日時を、該設定された日時に更新する評価日時更新部
を具備することを特徴とする請求項２から８のうちいずれか１項に記載の表示装置。
【請求項１０】
表示部と、少なくとも前記表示部に表示させるコンテンツの内容および前記コンテンツに対応するコンテンツ対応固有文字列を記憶する記憶部と、を備えた表示装置の所定機能の制限を解除するための解除用固有文字列を設定する設定方法であって、
前記コンテンツについてなされた操作内容に対応して設定された属性を、前記記憶部に記憶する記憶工程と、
前記記憶部に記憶されたコンテンツのコンテンツ対応固有文字列の中から選択された前記表示装置の所定機能の制限を解除できる解除用固有文字列と、前記解除用固有文字列と異なり前記制限を解除できない解除不能固有文字列と、を列挙した制限解除用一覧を前記表示部に表示させる一覧表示制御工程と、
前記表示部に表示された前記制限解除用一覧から少なくとも一つの固有文字列を選択する選択工程と、
前記制限解除用一覧から、前記選択工程によって前記解除用固有文字列が選択された場合には、前記所定機能の制限を解除し、前記解除不能固有文字列が選択された場合には、前記所定機能の制限を解除しない解除制御工程と、
前記記憶部に記憶されたコンテンツのコンテンツ対応固有文字列の中から、前記属性に基づいて選択したコンテンツ対応固有文字列を、前記表示装置の所定機能の制限を解除できる解除用固有文字列の候補として前記表示部に表示させる候補表示制御工程と、
前記候補表示制御工程によって、前記候補として表示されたコンテンツ対応固有文字列を、前記解除用固有文字列とするように指示が入力された場合、前記候補として表示されたコンテンツ対応固有文字列を前記解除用固有文字列に設定する解除用固有文字列設定工程と、
を有することを特徴とする解除用固有文字列の設定方法。
【請求項１１】
表示部と、少なくとも前記表示部に表示させるコンテンツの内容および前記コンテンツに対応するコンテンツ対応固有文字列を記憶する記憶部と、を備えた表示装置の所定機能の制限を解除するための解除用固有文字列を設定する設定プログラムであって、
前記コンテンツについてなされた操作内容に対応して設定された属性を、前記記憶部に記憶する記憶プログラムと、
前記記憶部に記憶されたコンテンツのコンテンツ対応固有文字列の中から選択された前記表示装置の所定機能の制限を解除できる解除用固有文字列と、前記解除用固有文字列と異なり前記制限を解除できない解除不能固有文字列と、を列挙した制限解除用一覧を前記表示部に表示させる一覧表示制御プログラムと、
前記表示部に表示された前記制限解除用一覧から少なくとも一つの固有文字列を選択する選択プログラムと、
前記制限解除用一覧から、前記選択プログラムによって前記解除用固有文字列が選択された場合には、前記所定機能の制限を解除し、前記解除不能固有文字列が選択された場合には、前記所定機能の制限を解除しない解除制御プログラムと、
前記記憶部に記憶されたコンテンツのコンテンツ対応固有文字列の中から、前記属性に基づいて選択したコンテンツ対応固有文字列を、前記表示装置の所定機能の制限を解除できる解除用固有文字列の候補として前記表示部に表示させる候補表示制御プログラムと、
前記候補表示制御プログラムによって、前記表示部に候補として表示されたコンテンツ対応固有文字列を、前記解除用固有文字列とするように指示が入力された場合、前記候補として表示されたコンテンツ対応固有文字列を前記解除用固有文字列に設定する解除用固有文字列設定プログラムと、
を有することを特徴とする解除用固有文字列の設定プログラム。
【発明の詳細な説明】
【技術分野】
【０００１】
本発明は、少なくとも記憶装置に記憶されたコンテンツを表示する表示機能を有し、該表示機能を含む諸機能のうち所定の機能を制限するとともに、ユーザが予め設定していた固有の文字列を入力することにより、当該制限を解除する表示装置、解除用固有文字列の設定方法およびその設定プログラムに関する。
【背景技術】
【０００２】
今日、デジタルカメラ、携帯電話、および、ＰＤＡ（Ｐｅｒｓｏｎａｌ  Ｄｉｇｉｔａｌ  Ａｓｓｉｓｔａｎｔ）など、メモリカードのような記録媒体に記憶された各種データ（文字、画像など）を、自らが備えるディスプレイに表示する機能を有する携帯可能な電子機器が、広く普及し身近なものになっている。このような電子機器においては、上記記録媒体に機密性の高いデータが含まれている場合や、電子機器そのものを紛失した場合などを考慮して、ユーザ以外の者による操作を制限することができる機能を持たせたものが多い。このような機能としては、例えば、上記記録媒体に記憶されているデータのうち、ユーザが指定したデータについては、ユーザ自身が設定したパスワードを入力しなければディスプレイに表示することができない、といったものがある。一方、携帯可能な電子機器において、携帯の容易さと、表示内容の見やすさとを追求する場合、筐体の小型化を図るとともに表示画面の大型化を図ることとなる。その結果として、パスワードを入力するための各種キーの設置スペースが制限されるという問題が生じる。そこで従来から、上述したような制限を、他人が容易に解除できないようにするとともに、ユーザがその制限を解除する場合は、より簡単な操作で解除できるようにするための提案が数多くなされてきた。
【０００３】
例えば、特許文献１に開示されているデジタルカメラでは、メモリカードに記憶されている複数の画像データのうち、特定の画像データについて、デジタルカメラが備えるディスプレイに表示させないようにする（以下、ロックするという）設定が可能となっている。また、設定したロックを解除する（すなわち、上記特定の画像データをディスプレイに表示可能とする）には、まず、ロックが設定されていない複数の画像データを各々サムネイル画像にしてディスプレイに一覧表示し、表示されたサムネイル画像の中から、予めユーザがロックを解除するためのキー（以下、ロック解除キーという）として指定しておいた画像データを選択することによって、行われるようになっている。
【先行技術文献】
【特許文献】
【０００４】
【特許文献１】特開２００４−０３２５４２号公報
【発明の概要】
【発明が解決しようとする課題】
【０００５】
ところで、特許文献１に開示されているデジタルカメラでは、ロック解除キーとしてユーザが予め指定しておく画像データがユーザの意思によって決定されるため、例えば、ユーザにとって印象深い画像データを指定することにより、ロック解除キーを忘れにくくすることができる。しかしながら、例えば、ロック解除キーを選択する際に一覧表示されるサムネイル画像の中に、見た目上、似たような構図の画像や、ユーザにとって印象深い画像が複数あった場合、もしくは、印象深い画像が１つもなかった場合などは、ロック解除キーとして指定した画像データを失念してしまう恐れがある。
【０００６】
本発明は、上記問題点に鑑みてなされたものであり、ユーザ以外の者による操作が制限されている状態を解除するための解除用固有文字列として、記憶部に記憶されたコンテンツ対応固有文字列を利用するとともに、コンテンツの内容に関わらず、ユーザが忘れにくい解除用固有文字列を容易に設定することができる表示装置、解除用固有文字列の設定方法およびそのプログラムを提供することを目的としている。
【課題を解決するための手段】
【０００７】
上述した課題を解決するために、本発明の請求項１に係る表示装置の実施態様は、表示部を備えた表示装置であって、少なくとも前記表示部に表示させるコンテンツの内容、前記コンテンツに対応するコンテンツ対応固有文字列、および、前記コンテンツについてなされた操作内容に対応して設定された属性を記憶する記憶部と、前記記憶部に記憶されたコンテンツのコンテンツ対応固有文字列の中から選択された前記表示装置の所定機能の制限を解除できる解除用固有文字列と、前記解除用固有文字列と異なり前記制限を解除できない解除不能固有文字列と、を列挙した制限解除用一覧を、前記表示部に表示させる一覧表示制御部と、前記表示部に表示された前記制限解除用一覧から少なくとも一つの固有文字列を選択する選択部と、前記制限解除用一覧から、前記選択部によって前記解除用固有文字列が選択された場合には、前記所定機能の制限を解除し、前記解除不能固有文字列が選択された場合には、前記所定機能の制限を解除しない解除制御部と、前記記憶部に記憶されたコンテンツのコンテンツ対応固有文字列の中から、前記属性に基づいて選択したコンテンツ対応固有文字列を、前記解除用固有文字列の候補として前記表示部に表示させる候補表示制御部と、前記候補表示制御部によって前記候補として表示されたコンテンツ対応固有文字列を、前記解除用固有文字列とするように外部から指示操作がされた場合、前記候補として表示されたコンテンツ対応固有文字列を前記解除用固有文字列として設定する解除用固有文字列設定部と、を有することを特徴とする。
【０００８】
本実施態様では、複数のコンテンツおよび各コンテンツに対応する複数のコンテンツ対応固有文字列とともに、各々のコンテンツに対する操作内容に対応して設定された属性が記憶部に記憶されている。表示装置の所定機能の制限を解除することができる解除用固有文字列を設定する場合は、候補表示制御部によって、記憶部に記憶された上記属性に基づいて複数のコンテンツ対応固有文字列の中から選択されたコンテンツ対応固有文字列が、解除用固有文字列の候補として表示部に表示される。そして、候補として表示されたコンテンツ対応固有文字列が、解除用固有文字列設定部により解除用固有文字列として設定された場合は、表示装置の所定機能の制限を解除する際に、一覧表示制御部によって、当該解除用固有文字列が、解除不能固有文字列とともに表示部に一覧表示され、その中から上記設定された解除用固有文字列が選択部によって選択されると、解除制御部により上記制限が解除される。
【０００９】
このように、本実施態様では、解除用固有文字列の設定に際し、コンテンツに対する操作内容に対応して設定された属性に基づいて選定されたコンテンツ対応固有文字列が、解除用固有文字列の候補として表示される。このため、ユーザの記憶に留まりやすいコンテンツ対応固有文字列を、解除用固有文字列として容易に設定することができる。
【００１０】
ここで、本明細書で用いる「コンテンツ」とは、本発明の表示装置に表示される内容の総称を示す。表示される内容が画像である場合には画像コンテンツとなる。表示される内容が文字を含む文書である場合には文書コンテンツとなる。表示装置内の記憶部に、各コンテンツは個別に記憶される。
【００１１】
各コンテンツには、各々を識別するために各コンテンツに対応する一文字以上の固有文字列が設定される。このコンテンツに対応する「固有文字列」は、例えば「名称」である。表示装置は、一つのコンテンツが固有文字列により指定されると、そのコンテンツを記憶部から読み出して表示する。表示装置においてコンテンツを指定する場合は、例えば、コンテンツ対応固有文字列を一覧表示させ、その中から指定する。
【００１２】
フォルダは、例えば複数のコンテンツ又はファイルをまとめて入れて管理できる入れ物と考えることができる。尚、フォルダは、複数のコンテンツを格納できるが、コンテンツが１個や全く無い場合もある。表示装置でコンテンツを指定する場合、フォルダ内の各コンテンツの対応固有文字列が一覧表示される。その際にも、各コンテンツ対応固有文字列としてその各コンテンツの入れ物である各ファイル対応固有文字列を一覧表示してもよい。
【００１３】
所定機能の制限とは、例えば表示装置において選択されたコンテンツの内容を表示させる機能の制限である。この制限を解除することにより、表示装置は、選択されたコンテンツを表示することができる。尚、制限される所定機能としては、表示機能に限らず、一覧表示機能とその一覧表示から選択入力する機能が制限されなければ、他の表示機能、他の入力機能、音声出力機能等を制限してもよい。
【００１４】
本発明の請求項２に係る表示装置の実施態様は、前記コンテンツの操作内容に対応した前記属性は、前記コンテンツを外部から受信した受信日時、前記コンテンツが表示された表示回数、前記コンテンツが表示されていた延べ表示時間、および、前記コンテンツの内容の重要度を表す評価値が設定された設定日時のうちいずれか１種類または複数種類であり、前記候補表示制御部は、前記各コンテンツ対応固有文字列に対応するコンテンツの中で、前記受信日時が直近のコンテンツ、前記表示回数が最も多いコンテンツ、前記延べ表示時間が最も長いコンテンツ、および、前記設定日時が直近のコンテンツのうち、少なくとも１つのコンテンツの前記コンテンツ対応固有文字列を、前記解除用固有文字列の候補として表示することを特徴とする。
【００１５】
本実施態様では、解除用固有文字列の候補として表示されるコンテンツ対応固有文字列は、上記受信日時が直近のコンテンツ、上記表示回数が最も多いコンテンツ、上記延べ表示時間が最も長いコンテンツ、および、上記設定日時が直近のコンテンツのうち、少なくとも１つのコンテンツのコンテンツ対応固有文字列となる。このため、候補として表示される解除用固有文字列は、いずれもユーザの記憶に残りやすいものとなり、ユーザの記憶に留まりやすい解除用固有文字列を容易に選択することができる。
【００１６】
本発明の請求項３に係る表示装置の実施態様は、前記表示制御部は、前記コンテンツの操作内容に対応した前記属性に基づいて選択した前記コンテンツ対応固有文字列を、前記解除用固有文字列の候補として表示したときに、該表示したコンテンツ対応固有文字列を前記解除用固有文字列とするように指示が入力されなかった場合、該コンテンツ対応固有文字列を選択した際の前記属性に基づいて、異なるコンテンツ対応固有文字列を改めて選択し、前記候補として表示することを特徴とする。
【００１７】
本実施態様では、解除用固有文字列の候補として表示されたコンテンツ対応固有文字列が、解除用固有文字列として設定されなかった場合は、当該コンテンツ対応固有文字列を選択する際に参照した属性と、同じ属性に基づいて次の解除用固有文字列の候補となるコンテンツ対応固有文字列が改めて選択され、表示部に表示される。すなわち、ユーザは、解除用固有文字列の候補として一旦表示されたコンテンツ対応固有文字列を、別のコンテンツ対応固有文字列に変更できるため、ユーザの主観に基づいて、記憶に残りやすいコンテンツ対応固有文字列を解除用固有文字列に設定することが可能となる。
【００１８】
本発明の請求項４に係る表示装置の実施態様は、前記表示制御部は、前記コンテンツの操作内容に対応した前記属性に基づいて選択した前記コンテンツ対応固有文字列を、前記解除用固有文字列の候補として表示したときに、該表示したコンテンツ対応固有文字列を前記解除用固有文字列とするように指示が入力されなかった場合、該コンテンツ対応固有文字列を選択した際の前記属性とは異なる属性に基づいて、異なるコンテンツ対応固有文字列を改めて選択し、前記候補として表示することを特徴とする。
【００１９】
本実施態様では、解除用固有文字列の候補として表示されたコンテンツ対応固有文字列が、解除用固有文字列として設定されなかった場合は、当該コンテンツ対応固有文字列を選択する際に参照した属性とは異なる属性に基づいて、次の解除用固有文字列の候補となるコンテンツ対応固有文字列が改めて選択され、表示部に表示される。このため、ユーザは、解除用固有文字列の候補として一旦表示されたコンテンツ対応固有文字列を、別のコンテンツ対応固有文字列に変更することができる。また、候補として表示したコンテンツ対応固有文字列が解除用固有文字列として設定されなかった場合、そのコンテンツ対応固有文字列とは異なる観点から、ユーザの記憶に残りやすいであろうコンテンツのコンテンツ対応固有文字列を選択して、次の候補として表示することができる。
【００２０】
本発明の請求項５に係る表示装置の実施態様は、前記表示制御部は、前記選択部により、解除用固有文字列が選択された場合、前記解除制御部により前記制限が解除される前に、次に前記表示装置の所定機能が制限されたときに該制限を解除できる解除用固有文字列の候補を前記表示部に表示し、前記解除制御部は、前記選択部により、前記表示した解除用固有文字列の候補が、前記次の解除用固有文字列として選択された後に前記制限を解除することを特徴とする。
【００２１】
本実施態様では、表示部に表示された制限解除用一覧の中から、選択部によって解除用固有文字列が選択されると、解除制御部が制限を解除する前に、次回、所定機能が制限されたときのための解除用固有文字列を設定すべく、その候補となるコンテンツ対応固有文字列が表示され、当該解除用固有文字列の設定が可能となる。このため、ユーザは、上記次回の解除用固有文字列を設定するために、その候補となるコンテンツ対応固有文字列を表示させるための操作を行う必要がなくなる。また、制限の解除操作が行われるごとに、次回の解除用固有文字列を設定する機会が生じるため、その都度、ユーザが解除用固有文字列を更新すれば、ユーザ以外の者による制限の解除をより困難にすることができる。
【００２２】
本発明の請求項６に係る表示装置の実施態様は、外部から前記コンテンツを受信したときに、該受信日時を、該コンテンツの操作内容に対応した前記前記属性として付与する受信日時付与部を具備することを特徴とする。
【００２３】
本実施態様では、外部からコンテンツを受信すると、当該コンテンツの操作内容に対応した属性としてその受信日時が付与されるため、受信した各コンテンツの受信日時を比較することで、直近に受信したコンテンツのコンテンツ対応固有文字列を、解除用固有文字列の候補として表示することができる。
【００２４】
本発明の請求項７に係る表示装置の実施態様は、前記表示部にコンテンツが表示されると、該コンテンツの操作内容に対応した前記属性に含まれる前記表示回数を加算する表示回数更新部を具備することを特徴とする。
【００２５】
本実施態様では、コンテンツが表示部に表示されるごとに、そのコンテンツの操作内容に対応した属性に含まれる表示回数が加算されるため、常に最新かつ正確な表示回数に基づいて、解除用固有文字列の候補となるコンテンツ対応固有文字列を選択し、ユーザに対して表示することができる。
【００２６】
本発明の請求項８に係る表示装置の実施態様は、前記表示部にコンテンツが表示されるごとにその表示時間を計時し、該計時した表示時間を該コンテンツの操作内容に対応した前記属性に含まれる前記延べ表示時間に加算する表示時間更新部を具備することを特徴とする。
【００２７】
本実施態様では、コンテンツが表示部に表示されるごとに、そのコンテンツの表示時間が計時され、計時された表示時間が、そのコンテンツの操作内容に対応した属性に含まれる延べ表示時間に加算される。このため、常に最新かつ正確な延べ表示時間に基づいて、解除用固有文字列の候補となるコンテンツ対応固有文字列を選択し、ユーザに対して表示することができる。
【００２８】
本発明の請求項９に係る表示装置の実施態様は、前記コンテンツに対して前記評価値が設定された場合、該コンテンツの操作内容に対応した前記属性に含まれる前記評価日時を、該設定された日時に更新する評価日時更新部を具備することを特徴とする。
【００２９】
本実施態様では、コンテンツに対して、そのコンテンツの重要度を表す評価値が設定されると、当該コンテンツの操作内容に対応した属性である評価日時が、上記設定された日時に更新されるため、常に最新かつ正確な評価日時に基づいて、解除用固有文字列の候補となるコンテンツ対応固有文字列を選択し、ユーザに対して表示することができる。
【００３０】
本発明の請求項１０に係る解除用固有文字列の設定方法の実施態様は、表示部と、少なくとも前記表示部に表示させるコンテンツの内容および前記コンテンツに対応するコンテンツ対応固有文字列を記憶する記憶部と、を備えた表示装置の所定機能の制限を解除するための解除用固有文字列を設定する設定方法であって、前記コンテンツについてなされた操作内容に対応して設定された属性を、前記記憶部に記憶する記憶工程と、前記記憶部に記憶されたコンテンツのコンテンツ対応固有文字列の中から選択された前記表示装置の所定機能の制限を解除できる解除用固有文字列と、前記解除用固有文字列と異なり前記制限を解除できない解除不能固有文字列と、を列挙した制限解除用一覧を前記表示部に表示させる一覧表示制御工程と、前記表示部に表示された前記制限解除用一覧から少なくとも一つの固有文字列を選択する選択工程と、前記制限解除用一覧から、前記選択工程によって前記解除用固有文字列が選択された場合には、前記所定機能の制限を解除し、前記解除不能固有文字列が選択された場合には、前記所定機能の制限を解除しない解除制御工程と、前記記憶部に記憶されたコンテンツのコンテンツ対応固有文字列の中から、前記属性に基づいて選択したコンテンツ対応固有文字列を、前記表示装置の所定機能の制限を解除できる解除用固有文字列の候補として前記表示部に表示させる候補表示制御工程と、前記候補表示制御工程によって、前記候補として表示されたコンテンツ対応固有文字列を、前記解除用固有文字列とするように指示が入力された場合、前記候補として表示されたコンテンツ対応固有文字列を前記解除用固有文字列に設定する解除用固有文字列設定工程と、を有することを特徴とする。
【００３１】
本実施態様では、表示部と、少なくとも前記表示部に表示させるコンテンツの内容および前記コンテンツに対応するコンテンツ対応固有文字列を記憶する記憶部と、を備えた表示装置において、コンテンツについてなされた操作内容に対応して設定された属性を記憶部に記憶する。また、記憶部に記憶されているコンテンツ対応固有文字列の中から、上記属性に基づいて選択したコンテンツ対応固有文字列を、解除用固有文字列の候補として選択して表示部に表示し、当該コンテンツ対応固有文字列を、解除用固有文字列とするように指示が入力された場合は、当該コンテンツ対応固有文字列を解除用固有文字列に設定する。そして、表示装置の所定機能の制限を解除する際に、当該解除用固有文字列を、解除不能固有文字列とともに表示部に一覧表示し、その中から上記設定された解除用固有文字列が選択された場合は、上記制限を解除する。
【００３２】
これにより、解除用固有文字列の設定に際し、コンテンツに対する操作内容に対応して設定された属性に基づいて選定されたコンテンツ対応固有文字列が、解除用固有文字列の候補として表示されるため、ユーザは、コンテンツの内容に関わらず、そのユーザの記憶に留まりやすいコンテンツ対応固有文字列を解除用固有文字列として選択することが容易となる。
【００３３】
本発明の請求項１１に係る解除用固有文字列の設定プログラムの実施態様は、表示部と、少なくとも前記表示部に表示させるコンテンツの内容および前記コンテンツに対応するコンテンツ対応固有文字列を記憶する記憶部と、を備えた表示装置の所定機能の制限を解除するための解除用固有文字列を設定する設定プログラムであって、前記コンテンツについてなされた操作内容に対応して設定された属性を、前記記憶部に記憶する記憶プログラムと、前記記憶部に記憶されたコンテンツのコンテンツ対応固有文字列の中から選択された前記表示装置の所定機能の制限を解除できる解除用固有文字列と、前記解除用固有文字列と異なり前記制限を解除できない解除不能固有文字列と、を列挙した制限解除用一覧を前記表示部に表示させる一覧表示制御プログラムと、前記表示部に表示された前記制限解除用一覧から少なくとも一つの固有文字列を選択する選択プログラムと、前記制限解除用一覧から、前記選択プログラムによって前記解除用固有文字列が選択された場合には、前記所定機能の制限を解除し、前記解除不能固有文字列が選択された場合には、前記所定機能の制限を解除しない解除制御プログラムと、前記記憶部に記憶されたコンテンツのコンテンツ対応固有文字列の中から、前記属性に基づいて選択したコンテンツ対応固有文字列を、前記表示装置の所定機能の制限を解除できる解除用固有文字列の候補として前記表示部に表示させる候補表示制御プログラムと、前記候補表示制御プログラムによって、前記表示部に候補として表示されたコンテンツ対応固有文字列を、前記解除用固有文字列とするように指示が入力された場合、前記候補として表示されたコンテンツ対応固有文字列を前記解除用固有文字列に設定する解除用固有文字列設定プログラムと、を有することを特徴とする。
【００３４】
本実施態様では、表示部と、少なくとも前記表示部に表示させるコンテンツの内容および前記コンテンツに対応するコンテンツ対応固有文字列を記憶する記憶部と、を備えた表示装置において、コンテンツについてなされた操作内容に対応して設定された属性を記憶部に記憶する。また、記憶部に記憶されているコンテンツ対応固有文字列の中から、上記属性に基づいて選択したコンテンツ対応固有文字列を、解除用固有文字列の候補として選択して表示部に表示し、当該コンテンツ対応固有文字列を、解除用固有文字列とするように指示が入力された場合は、当該コンテンツ対応固有文字列を解除用固有文字列に設定する。そして、表示装置の所定機能の制限を解除する際に、当該解除用固有文字列を、解除不能固有文字列とともに表示部に一覧表示し、その中から上記設定された解除用固有文字列が選択された場合は、上記制限を解除する。
【００３５】
これにより、解除用固有文字列の設定に際し、コンテンツに対する操作内容に対応して設定された属性に基づいて選定されたコンテンツ対応固有文字列が、解除用固有文字列の候補として表示されるため、ユーザは、コンテンツの内容に関わらず、そのユーザの記憶に留まりやすいコンテンツ対応固有文字列を解除用固有文字列として選択することが容易となる。
【発明の効果】
【００３６】
以上のように、本発明の表示装置、解除用固有文字列の設定方法およびそのプログラムによれば、ユーザの設定に従って所定機能が制限されている状態を、解除するための解除キーとして、記憶部に記憶されたデータを利用する表示装置において、ユーザ以外の者による操作が制限されている状態を解除するための解除用固有文字列として、記憶部に記憶されたコンテンツ対応固有文字列を利用するとともに、コンテンツの内容に関わらず、ユーザが忘れにくい解除用固有文字列を容易に設定することができる。
【図面の簡単な説明】
【００３７】
【図１】本発明の実施の形態に係る表示装置の外観を示す正面図である。
【図２】同表示装置のハードウェア構成を示すブロック図である。
【図３】同表示装置のメモリカードおよびフラッシュＲＯＭに記憶されているデータの内容を説明するための説明図である。
【図４】同表示装置のフラッシュＲＯＭに記憶されているコンテンツの属性の内容を説明するための説明図である。
【図５】同表示装置の機能ブロック図である。
【図６】同表示装置のＣＰＵが実行する全体処理の流れを示すフローチャートである。
【図７】同表示装置において、表示するコンテンツをユーザに選択させるためのコンテンツ選択画面の内容を説明するための説明図である。
【図８】同表示装置において、表示制限を掛けるコンテンツをユーザに指定させるための表示制限コンテンツ選択画面の内容を説明するための説明図である。
【図９】図６に示した全体処理の中で実行されるページ表示処理の詳細な内容を示すフローチャートである。
【図１０】図６に示した全体処理の中で実行される評価値設定処理の詳細な内容を示すフローチャートである。
【図１１】図６に示した全体処理の中で実行される表示終了処理の詳細な内容を示すフローチャートである。
【図１２】図６に示した全体処理の中で実行される解除キー候補表示処理の詳細な内容を示すフローチャートである。
【図１３】図１２に示した解除キー候補表示処理とは異なる、解除キー候補表示処理の内容を示すフローチャートである。
【図１４】図１２および図１３に示した解除キー候補表示処理とは異なる、解除キー候補表示処理の内容を示すフローチャートである。
【発明を実施するための形態】
【００３８】
以下、本発明の表示装置および解除用固有文字列の設定方法に関する実施形態について、図面を参照しつつ詳細に説明する。
【００３９】
図１は、本実施形態における表示装置１の外観を示す正面図である。表示装置１の本体は、矩形の板状の外観を有しており、その表面には、画像を表示するための表示パネル１１と、表示パネル１１に表示されたメニュー画面や各種画像に対してユーザの指示を入力するための操作キー１２とが設けられている。表示パネル１１は、白および黒の帯電粒子が封入されたマイクロカプセルが多数配設されており、各マイクロカプセルに対して個別に電界を印加し、カプセル内の帯電粒子を移動させることによって画像を表示する。操作キー１２は、中央に設けられた円形の決定キー１５と、決定キー１５を上下左右から囲むように設けられた４つの方向キー１６，１７，１８，１９とによって構成されている。以下の説明では、４つの方向キー１６〜１９を区別していう場合は、上方向キー１６，右方向キー１７，下方向キー１８，左方向キー１９と称する。
【００４０】
なお、図示を省略しているが、表示装置１の本体側面には、表示装置１の電源をオン／オフするための電源スイッチ、表示パネル１１に表示されるコンテンツを記憶したメモリカードを、表示装置１に挿入するためのカードスロット、外部の情報端末（例えばパソコン）からコンテンツをダウンロードする際に当該情報端末と接続するための通信ケーブルが接続される通信用コネクタ、および、外部からの電源の供給を受ける際に電源ケーブルが接続される電源用コネクタなどが設けられている。また、上述したカードスロットの内部には、メモリカードに設けられた端子と嵌合するコネクタが設けられており、これにより、メモリカードと表示装置１とが電気的に接続され、メモリカードに記憶されたコンテンツの読み込みおよびメモリカードへのコンテンツの書き込みが可能となる。
【００４１】
次に、図２に示すブロック図を参照して、表示装置１内部のハードウェア構成について説明する。なお、この図において、図１の各部に対応する構成には、同一の符号を付し、その詳しい説明を省略する。
図２において、ＣＰＵ２１は、ＲＯＭ２２に格納されている各種プログラムを実行し、操作キー１２から入力されたユーザの指示に従って、表示装置１の各部を制御する。ＲＯＭ２２には、上述した各種プログラムのほか、表示パネル１１に表示される初期画面や各種メニュー画面の画像データ等が格納されている。ＲＡＭ２３は、ＣＰＵ２１が上述した各種プログラムを実行する過程で発生する制御のための各種データを一時的に記憶する。データの書き換えが可能な不揮発性の記憶装置であるフラッシュＲＯＭ２４には、メモリカード２に記憶されている各コンテンツの属性が記憶されている。また、メモリカード２に記憶されているコンテンツのうち、ユーザによって表示パネル１１への表示を制限する旨の設定がされたコンテンツについては、そのコンテンツ名称と対応付けられて当該制限を解除するための解除用固有文字列（以下、解除キーという）が記憶されている。さらに、ユーザによって、その内容について評価値（後述する）が設定されているコンテンツについては、その評価値の値がコンテンツ名称と対応付けられて記憶されている。
【００４２】
時計２５は、例えばリアルタイムクロック（ＲＴＣ）のように、現在時刻を計時するとともに、ＣＰＵ２１からの要求に応じて、現在の年、月、日、時、分、秒を示す情報をデータとして出力する。表示コントローラ２６は、ＣＰＵ２１からのコマンドに従って、表示パネル１１に表示する画像の表示制御を行う。充電コントローラ２７は、表示装置１に対して外部から電源が供給されているときに、表示装置１が独立して作動する際の電源となるバッテリ２８を充電するとともに、その際、過充電とならないように充電電圧を制御する。メモリカードインターフェイス（以下、メモリカードＩ／Ｆという）２９は、ＣＰＵ２１が、前述したカードスロット内部のコネクタに接続されたメモリカード２に対して、コンテンツの読み込みおよび書き込みを行う際に、ＣＰＵ２１とメモリカード２との間で行われるデータの授受を仲介する。通信インターフェイス（以下、通信Ｉ／Ｆという）３０は、前述した外部の情報端末３からコンテンツを受信する際に、ＣＰＵ２１と情報端末３との間で行われるやり取り、および、ＣＰＵ２１が情報端末３からコンテンツをダウンロードする際のデータの受信を仲介する。
上述した各部は、互いにバスＢによって電気的に接続されており、このバスＢを介して各種データの授受を行っている。
【００４３】
次に、図３および図４を参照して、上述したメモリカード２に記憶されているコンテンツおよびフラッシュＲＯＭ２４に記憶されているコンテンツの各種属性の内容について説明する。ここで、図３は、メモリカード２およびフラッシュＲＯＭ２４に記憶されているデータの内容を模式的に示したものであり、（ａ）は、メモリカード２に複数のコンテンツが記憶された状態を図示し、（ｂ）はフラッシュＲＯＭ２４に記憶される各コンテンツの属性の内容を図示したものである。また、図４は、フラッシュＲＯＭ２４に記憶される各コンテンツの属性の詳細な内容を模式的に図示したものであり、（ａ）は受信コンテンツログ、（ｂ）はコンテンツオープンリスト、（ｃ）はページオープンリスト、（ｄ）評価値更新ログの内容を、それぞれ図示している。
【００４４】
まず、図３（ａ）に示すように、メモリカード２には、表示パネル１１に表示されるコンテンツが複数記憶されている。ここで、これらのコンテンツは、以下、その内容について特に言及しない場合は、複数のページからなる文書コンテンツとする。また、各コンテンツには、固有のコンテンツ名称が付与されており、このコンテンツ名称によって、表示パネル１１に表示すべきコンテンツや、メモリカード２に対して読み込みまたは書き込みを行うコンテンツ等が特定される。ここで、以下ではコンテンツの内容を表示パネル１１に表示することを「コンテンツを開く」、その表示を表示パネル１１から消去することを「コンテンツを閉じる」とも称する。
【００４５】
これらメモリカード２に記憶されている各コンテンツに対応して、図３（ｂ）に示す４種類の属性がフラッシュＲＯＭ２４に記憶されている。これらの属性は、具体的には、受信日時、オープン回数、表示時間、および、評価値設定時刻であり、各属性は、対応するコンテンツのコンテンツ名称と関連付けられた上で、属性の種類ごとにまとめられ、フラッシュＲＯＭ２４に記憶されている。すなわち、図４（ａ）〜（ｄ）に示すように、受信日時は受信コンテンツログとして、オープン回数はコンテンツオープンリストとして、表示時間はページ表示時間リストとして、評価値設定時刻は評価値更新ログとして、フラッシュＲＯＭ２４に記憶されている。
【００４６】
ここで、受信日時は、対応するコンテンツを図２に示した情報端末３から受信（ダウンロード）した時の年、月、日、分、秒を示すデータ（以下、時刻データという）である。オープン回数は、対応するコンテンツが表示パネル１１に表示された回数の累計を示すデータである。表示時間は、対応するコンテンツが表示パネル１１に表示されていた時間の延べ時間を示すデータである。また、評価値設定時刻は、対応するコンテンツに対し、ユーザの判断によりその内容の重要度（すなわち評価値）を設定したときの時刻データである。
【００４７】
これらの属性は、ユーザが、後述する解除キーとなるコンテンツ名称を設定する際に、その候補として表示パネル１１に表示するコンテンツ名称を選定する際に参照される。なお、フラッシュＲＯＭ２４に記憶するコンテンツの属性は、必ずしも上述した４種類すべてでなくても良く、少なくとも１つの属性が記憶されていればよい。
【００４８】
次に、上述したハードウェア構成を有する表示装置１が備えている主な機能について、図５に示す機能ブロック図を参照して説明する。
【００４９】
この図において、制御部１００は、表示装置１がユーザに提供する各種機能を実現するものであり、図２に示したＲＯＭ２２に格納され、上記機能を実現するための各種プログラム、当該各種プログラムを実行するＣＰＵ２１、および、各種プログラムの実行中にＣＰＵ２１が利用する各部の構成に対応する。記憶部２００は、コンテンツ記憶部２０１と、解除用コンテンツ名称記憶部２０２と、コンテンツ属性記憶部２０３とによって構成されている。コンテンツ記憶部２０１は、図２に示したメモリカード２に対応し、解除用コンテンツ名称記憶部２０２およびコンテンツ属性記憶部２０３は、図２に示したフラッシュＲＯＭ２４に対応する。
【００５０】
コンテンツ記憶部２０１は、後述する表示部５００に表示させる複数のコンテンツと、それら各コンテンツに対応するコンテンツ名称（コンテンツ対応固有文字列に相当する）とを記憶する。解除用コンテンツ名称記憶部２０２は、コンテンツ記憶部２０１に記憶されている各コンテンツのうちユーザが指定したものについて、後述する機能制限部１２１によって掛けられた制限（詳しくは後述する）を解除するための解除キー（解除用固有文字列に相当する）を記憶する。コンテンツ属性記憶部２０３は、コンテンツ記憶部２０１に記憶されている各コンテンツについて、図４に示した属性を記憶する。
【００５１】
選択部３００は、例えば後述する表示部５００に表示するコンテンツの選択や、表示装置１に実行させる機能の選択など、ユーザによる各種の選択を可能にするものであり、図１に示した操作キー１２、表示部５００に表示される各種選択画面、および、当該選択画面の表示に関与する各部の構成に対応する。通信部４００は、図２に示した通信Ｉ／Ｆ３０に対応するものであり、制御部１００による制御に従って外部の情報端末３（図２参照）と通信を行い、ダウンロードするコンテンツなどを受信して制御部１００へ受け渡す。表示部５００は、制御部１００による制御に従って、コンテンツ記憶部２０１に記憶されているコンテンツや、上述した各種選択画面などを表示するものであり、図２に示す表示パネル１１および表示コントローラ２６に対応するものである。
【００５２】
さらに、制御部１００は、表示装置１において実現される機能に応じた、以下の各部を有している。なお、以下に説明する各部は、表示装置１の主立った機能に対応するものであり、表示装置１が備えるすべての機能を示すものではない。制御部１００は、主に、表示部５００に表示する内容を制御する表示制御部１１０と、表示装置１の所定機能を制限し、または、その制限の解除を行う制限制御部１２０と、コンテンツ記憶部２０１に記憶されている各コンテンツの属性（図４（ａ）〜（ｄ）参照）を更新する属性更新部１３０とを有している。
【００５３】
表示制御部１１０は、表示装置１において上述した所定機能が制限されているときに、ユーザがその制限を解除するための操作を開始した場合、解除用コンテンツ名称記憶部２０２に記憶されている解除キーとともに、複数のコンテンツ名称を表示部５００に一覧表示させる一覧表示制御部１１１と、ユーザが上記所定機能の制限を解除するための解除キーを設定する際に、その解除キーの候補を表示部５００に表示する候補表示制御部１１２とを有している。ここで、上記所定機能を解除するための解除キーは、コンテンツ記憶装置２０１に記憶されているコンテンツのうち、ユーザによって指定されたコンテンツに対応するコンテンツ名称になっている。また、候補表示制御部１１２は、解除キーの候補をコンテンツ記憶部２０１に記憶されている各コンテンツのコンテンツ名称の中から選択するが、その選択は、コンテンツ属性記憶部２０３に記憶されている各コンテンツの属性に基づいて行う。
【００５４】
次に、制限制御部１２０は、表示装置１が備える機能のうち予め定められている機能を制限する機能制限部１２１と、機能制御部１２１による制限を解除する解除制御部１２２と、機能制御部１２１による制限を解除するための解除キーを設定する解除用コンテンツ名称設定部１２３とを有している。機能制限部１２１は、たとえば、コンテンツ記憶部２０１に記憶されている複数のコンテンツのうち、ユーザにより指定されたコンテンツについては、表示部５００に表示させないという制限を行う。なお、機能制御部１０１が行う制限としては、上述したものに限らず、例えば、表示装置１に対して何ら操作が行われないまま所定時間が経過すると、コンテンツ記憶部２０１に記憶されているコンテンツを表示部５００に表示する機能を停止させる（制御部１００からコンテンツ記憶部３００へのアクセスを禁止する、表示画面を真っ暗にするなど）といった制限であっても良い。
【００５５】
解除制御部１２２は、一覧表示制御部１１１によって表示部５００に一覧表示された複数のコンテンツ名称の中から、選択部３００によって１つの名称が選択されると、そのコンテンツ名称が、解除用コンテンツ名称記憶部２０２に記憶されている解除キーと一致するか否かを判断し、解除キーと一致していた場合は、機能制御部１０１による制限を解除する。すなわち、ユーザによって表示が制限されていたコンテンツを、表示部５００に表示することが可能となる。これに対して、解除キーと一致しないコンテンツ名称が選択された場合は、上記の制限が解除されず、機能制御部１０１による制限が維持される。
【００５６】
解除用コンテンツ名称設定部１２３は、候補表示制御部１１２によって解除キーの候補として表示されたコンテンツ名称を、ユーザが解除キーとして採用することを選択部３００によって指示した場合、候補として表示したコンテンツ名称を解除キーとして解除用コンテンツ名称記憶部２０２に記憶する。
【００５７】
さらに、属性更新部１３０は、受信日時付与部１３１と、表示回数更新部１３２と、表示時間更新部１３３と、評価日時更新部１３４とを有している。受信日時付与部１３１は、通信部４００によって情報端末３からコンテンツが受信されると、受信した時の時刻データ（図４（ａ）に示した「受信日時」に対応）を、受信したコンテンツのコンテンツ名称（同図「受信コンテンツ名」に対応）と対応付けてコンテンツ属性記憶部２０３に記憶する。
【００５８】
表示回数更新部１３２は、ユーザから指定されたコンテンツを開くと、コンテンツ属性記憶部２０３に記憶されている当該コンテンツのコンテンツ名称（図４（ｂ）に示した「オープンコンテンツ名」に対応）に対応付けて記憶されている表示回数（同図「オープン回数」に対応）の値に「１」を加算する。
表示時間更新部１３３は、ユーザから指定されたコンテンツを開くと、当該コンテンツが表示されている時間の計時を開始し、当該コンテンツが閉じられた時にその計時を終了する。そして、コンテンツ属性記憶部２０３に記憶されている当該コンテンツのコンテンツ名称（図４（ｃ）に示した「コンテンツ名」に対応）に対応付けて記憶されている表示時間（同図「表示時間」に対応）の値に、計時した時間を加算する。
【００５９】
評価日時更新部１３４は、コンテンツ記憶部２０１に記憶されている各コンテンツのうちいずれかに、ユーザが評価値を設定した場合、コンテンツ属性記憶部２０３に記憶されている当該コンテンツのコンテンツ名称（図４（ｄ）に示した「コンテンツ名」に対応）に対応付けて記憶されている時刻データ（同図「評価値設定時刻」に対応）を、上記の設定をした時の時刻データに更新する。ここで、表示装置１では、コンテンツ記憶部２０１に記憶されている各コンテンツに対して、その内容の重要度（評価値）をユーザ自身の判断によって設定できるようになっている。この評価値の設定方法については、後に詳しく説明する。
【００６０】
次に、図５の機能ブロック図に示した各部を実現すべく、図２に示したＲＯＭ２２に格納されている各種プログラムを実行することでＣＰＵ２１が行う処理の流れについて、図６に示すフローチャートを参照して説明する。
【００６１】
まず、ユーザが表示装置１の本体側面に設けられている電源スイッチをオンにすると、ＣＰＵ２１は、図２に示した各部に異常があるか否かの自己診断を行い、異常がなければ、ＲＯＭ２２に格納されている起動画面の画像データを、表示コントローラ２６により表示パネル１１へ表示させる（ステップＳ１）。次にＣＰＵ２１は、ＲＯＭ２２に記憶されているメニュー画面の画像データを表示パネル１１に表示する（ステップＳ２）。ここで、メニュー画面の内容は、図１に示した表示パネル１１に図示する通りであり、ユーザが指定することができる項目として、「１．コンテンツ表示」、「２．表示制限設定」、「３．データ転送」の３つの項目が表示されている。また、これら３つの項目のうち、１つの項目を囲む枠（カーソルＣ）が表示されており、ユーザが上方向キー１６を１回押すと、ＣＰＵ２１はカーソルＣを、現在表示されている項目から１つ上の項目へ移動させ、下方向キー１８を１回押すと、１つ下の項目へ移動させる。そして、ＣＰＵ２１は、決定キー１５がユーザによって押されたか否かを判断し、押された場合は、カーソルＣが表示されている項目に対応する処理を行う（ステップＳ３）。以下、上述した３つの項目に対応する処理を、各項目に分けて説明する。
【００６２】
（１）「１．コンテンツ表示」が選択された場合
この場合、ＣＰＵ２１は、コンテンツ選択画面を表示パネル１１へ表示する（ステップＳ４）。このコンテンツ選択画面のデータは、ＲＯＭ２２に記憶されており、例えば図７に示す内容になっている。すなわち、画面の最上部には、コンテンツ選択画面のタイトルを表示するためのタイトル表示領域が設定されており、当該領域内にはタイトルとして「（コンテンツ選択用）コンテンツ名称一覧」の文字列が表示される。また、タイトル表示領域の下側には、各々、コンテンツ名称を表示するためのコンテンツ名称表示領域が、計３０個設定されている。そして、ＣＰＵ２１は、メモリカード２に記憶されている各コンテンツのコンテンツ名称を読み込み、読み込んだコンテンツ名称を、コンテンツ選択画面内の各コンテンツ名称表示領域に１つずつ表示していく。このとき、ＣＰＵ２１は、フラッシュＲＯＭ２４を参照し、メモリカード２から読み出したコンテンツ名称に対応して評価値が設定されているか否かを判断し、設定値が設定されていた場合は、その値に応じて１〜３個の星印を、コンテンツ名称とともにコンテンツ名称表示領域に表示する。ここで、星印の数が多いほど、ユーザによって設定された重要度が高いことを意味する。さらに、各コンテンツ名称表示領域のうちいずれか１つに、その領域を囲むカーソルＣが表示される。図７では、「１．Ａ１２３４５」と表示しているコンテンツ名称表示領域に、カーソルＣが表示されている状態を示している。
【００６３】
上記のコンテンツ選択画面が表示された後、ユーザが方向キー１６〜１９を押すと、ＣＰＵ２１は、押された方向キーに対応する方向へカーソルＣの表示を移動させる。また、ＣＰＵ２１は、ユーザが決定キー１５を押すまで、ユーザによって押された方向キー１６〜１９に応じて、カーソルＣの表示を移動させる（ステップＳ５）。そして、ユーザが決定キー１５を押すと、ＣＰＵ２１は、そのときにカーソルＣによって囲まれたコンテンツ名称表示領域に表示されているコンテンツ名称を、ユーザが選択したコンテンツ名称と認識する。そして、ユーザが選択したコンテンツ名称に対応するコンテンツに、表示制限が掛けられているか否かを判断する（ステップＳ６）。ここで、メモリカード２に記憶されている各コンテンツに対して表示制限を掛ける方法については、ユーザが、前述したメニュー画面において「２．表示制限設定」を選択した場合に行う処理で説明する。
【００６４】
ステップＳ６において、ＣＰＵ２１が、ユーザによって選択されたコンテンツ名称に対応するコンテンツに制限が掛けられている（ＹＥＳ）と判断した場合は、ＣＰＵ２１は、図８に示す解除キー入力画面を表示パネル１１へ表示する（ステップＳ７）。この解除キー入力画面のデータは、ＲＯＭ２２に記憶されており、画面の最上部に設定されたタイトル表示領域には、「（表示制限解除用）コンテンツ名称一覧」の文字列が表示されている。また、タイトル表示領域の下側には、図７に示したコンテンツ選択画面と同様に、計３０個のコンテンツ名称表示領域が設定されている。そして、フラッシュＲＯＭ２４から、ステップＳ５で選択されたコンテンツ名称に対応付けられた解除キーが読み出され、メモリカード２に記憶されている各コンテンツのコンテンツ名称のうち、任意に選択されたコンテンツ名称とともに、各コンテンツ名称表示領域に表示される。また、各コンテンツ名称表示領域のうち、いずれか１つには、その領域を囲むカーソルＣが表示され、ＣＰＵ２１は、方向キー１６〜１９のいずれかがユーザによって押されると、押された方向キーに対応する方向にカーソルＣの表示を移動させる。ここで、図８においては、「１７．ＱＲＳＴＵＶ」と表示しているコンテンツ名称表示領域に、カーソルＣが表示された状態を示している。そして、ユーザが決定キー１５を押すと、ＣＰＵ２１は、そのときにカーソルＣによって囲まれたコンテンツ名称表示領域に表示されているコンテンツ名称を、ユーザが選択したコンテンツ名称と認識する。
【００６５】
ここで、ステップＳ４の処理によって表示パネル１１に表示されたコンテンツ選択画面「（コンテンツ選択用）コンテンツ名称一覧」において、コンテンツ表示の制限が掛けられたコンテンツがユーザによって選択されたこと（ステップＳ５→Ｓ６，ＹＥＳ）が、制限の解除操作が開始されたことに相当する。また、これにより表示パネル１１に表示された図８の解除キー入力画面、および、当該画面を表示する処理（ステップＳ７）を行うＣＰＵ２１は、図５に示した一覧表示制御部１１１に相当する。さらに、図８の解除キー入力画面において、方向キー１６〜１９に対するユーザの操作に従ってカーソルＣの表示を移動制御し、決定キー１５の操作により、そのときカーソルＣによって囲まれたコンテンツ名称表示領域に表示されているコンテンツ名称を、ユーザが選択したコンテンツ名称と認識するＣＰＵ２１は、図５に示した選択部３００に相当する。
【００６６】
次にＣＰＵ２１は、ユーザが選択したコンテンツ名称が、図８に示した解除キー入力画面を表示する際にフラッシュＲＯＭ２４から読み出した解除キーと一致するか否かを判断する（ステップＳ８）。一致しなかった場合（ＮＯ）は、ステップＳ２の処理に戻り、再度、図１に示したメニュー画面を表示パネル１１に表示する。すなわち、ユーザによって選択されたコンテンツ名称が、表示しようとするコンテンツに設定されていた解除キーと一致しない場合は、その表示が行われない。これに対して、一致した場合（ステップＳ８，ＹＥＳ）は、ステップＳ５で選択したコンテンツ名称に対応するコンテンツの内容を表示パネル１１に表示する、ページ表示処理を行う（ステップＳ９）。このページ表示処理の詳細な内容については後述する。なお、前述したステップＳ６において、ステップＳ５でユーザが選択したコンテンツ名称に対応するコンテンツに対して、表示制限が掛けられていなかった場合（ＮＯ）は、直接、ステップＳ９の処理が行われる。
【００６７】
このように、ユーザが選択したコンテンツ名称が、解除キーと一致するか否かに応じて、制限がかけられたコンテンツを表示する（制限を解除）処理（ステップＳ８，ＹＥＳ→Ｓ９）、または、メニュー画面の表示に戻る（制限を維持）処理（ステップＳ８，ＮＯ→Ｓ２）を行うＣＰＵ２１は、図５に示した解除制御部１２２に相当する。さらに、ステップＳ７で選択されたコンテンツ名称が、解除キーに一致しなかった場合は、ステップＳ４およびＳ５で選択されたコンテンツが表示されないことから、ステップＳ７およびＳ８の処理は、図５に示した機能制限部１２１にも相当するといえる。
【００６８】
ステップＳ９の処理によって表示パネル１１にコンテンツの内容が表示されると、以下、ＣＰＵ２１は、その表示中にユーザによってなされた指示があるか否かを判断し、指示があった場合は、その指示に応じた処理を行う。ここで、コンテンツの内容の表示中にユーザが行うことができる指示は、表示中のコンテンツに対する評価値の設定開始指示、表示中のコンテンツが、複数ページからなっていた場合において、次のページまたは前のページにその表示を切り替えるページめくり指示、表示中のコンテンツを閉じるための表示終了指示の３つである。評価値の設定開始指示および表示終了指示は、コンテンツの内容を表示中にユーザが決定キー１５を押すことによって表示パネル１１に表示されるサブメニューから行う。このサブメニューには、「評価値設定」、「表示終了」、「戻る」という３つの選択肢と、このうち１つの選択肢を指定するカーソルとが表示されており、ユーザが上方向キー１６または下方向キー１８を操作し、カーソルを所望する選択肢に移動させて決定キー１５を押すことで、表示装置１に対して指示を行うことができる。ここで、「戻る」が指示された場合は、サブメニューの表示が終了する。また、ページめくり指示は、コンテンツの内容を表示中にユーザが右方向キー１７または左方向キー１９を押すことにより行われる。
【００６９】
ＣＰＵ２１は、コンテンツの内容を表示中に、上述したサブメニューから「評価値設定」が指定されたか否かを判断する（ステップＳ１０）。そして、ユーザによって「評価値設定」が指定された場合（ＹＥＳ）は、表示中のコンテンツについて、その重要度をユーザにより設定するための評価値設定処理を開始する（ステップＳ１１）。この評価値設定処理については、後に詳しく説明する。ステップＳ１１の評価値設定処理を終えると、ＣＰＵ２１は、ステップＳ１０の処理に戻る。また、ステップＳ１０において、ＣＰＵ２１がユーザにより「評価値設定」が指定されなかったと判断した場合（ＮＯ）は、ユーザによってページめくり指示がされたか否かを判断する（ステップＳ１２）。そして、表示パネル１１に表示中のコンテンツが複数ページで構成された文書コンテンツであり、かつ、右方向キー１７または左方向キー１９が操作された場合（ＹＥＳ）は、操作された方向キーに応じて表示するページを切り替える。すなわち、右方向キー１７が押された場合は、次のページを表示し、左方向キー１９が押された場合は前のページを表示する（ステップＳ１３）。そして、表示パネル１１に表示するページを１ページ分だけ切り替えると、ステップＳ１０の処理に戻る。
【００７０】
ステップＳ１２において、ユーザによるページめくり指示がなされなかったと判断した場合（ＮＯ）は、ＣＰＵ２１は、前述したサブメニューから「表示終了」が指定されたか否かを判断する（ステップＳ１４）。そして、「表示終了」が指定されなかったと判断した場合（ＮＯ）は、ステップＳ１０の処理に戻る。このように、表示パネル１１にコンテンツの内容を表示しているときは、ＣＰＵ２１は、評価値の設定開始指示、ページめくり指示、または、表示終了指示のいずかれがなされたか否かを判断しており、ユーザによっていずれかの指示がなされた場合は、指示された内容に応じた処理を行う。また、この間に、ユーザによって前述したサブメニューから、「表示終了」が指定されたと判断した場合（ステップＳ１４，ＹＥＳ）は、ＣＰＵ２１は、表示パネル１１に表示していたコンテンツを閉じる表示終了処理を行う（ステップＳ１５）。この表示終了処理の詳細な内容については後述する。そして、ＣＰＵ２１は、表示していたコンテンツを閉じると、ステップＳ２の処理に戻り、図１に示したメニュー画面を表示パネル１１に表示する。
【００７１】
＜ステップＳ９、「ページ表示」処理の説明＞
次に、図９に示すフローチャートを参照して、図６のステップＳ９、「ページ表示」処理の内容について説明する。まず、図６に示したフローチャートのステップＳ４の処理により表示されたコンテンツ選択画面「（コンテンツ選択用）コンテンツ名称一覧」（図７参照）において、ユーザによりコンテンツ表示の制限が掛けられていないコンテンツが選択された場合（ステップＳ６，ＮＯ）、または、コンテンツ表示の制限が掛けられたコンテンツについて、解除キーが入力された場合（ステップＳ８，ＹＥＳ）、ＣＰＵ２１は、図９に示すフローチャートにおいて、フラッシュＲＯＭ２４に記憶されているコンテンツオープンリスト（図４（ｂ）参照）の内容を更新する（ステップＳ３０）。すなわち、コンテンツオープンリストのうち、図６のステップＳ４の処理によって表示されたコンテンツ選択画面（図７参照）から選択されたコンテンツのコンテンツ名称（図４（ｂ）におけるオープンコンテンツ名）に対応する「オープン回数」の値に、「１」を加算する。よって、上述したステップＳ３０の処理を行うＣＰＵ２１は、図５に示した表示回数更新部１３２に相当する。
【００７２】
次に、ＣＰＵ２１は、ステップＳ４の処理により表示されたコンテンツ選択画面で指定されたコンテンツ名称に対応するコンテンツを、メモリカード２から読み出し（ステップＳ３１）、第１ページ目を表示パネル１１に表示する（ステップＳ３２）。そして、ＣＰＵ２１は、時計２５に対して時刻データの出力を要求し、これに応じて時計２５から出力された現在の時刻データをＲＡＭ２３に記憶する（ステップＳ３３）。以上の処理を行うと、ＣＰＵ２１は、図９に示すページ表示処理を終了し、図６のステップＳ１０の処理へ移行する。
【００７３】
＜ステップＳ１１、「評価値設定」処理の説明＞
次に、図１０に示すフローチャートを参照して、図６のステップＳ１１、「評価値設定」処理の内容について説明する。まず、図６に示したフローチャートのステップＳ１０の処理において、ユーザが前述したサブメニューにより「評価値設定」を指定したと判断した場合（図６，ステップＳ１０，ＹＥＳ）、ＣＰＵ２１は、表示パネル１１に評価値設定画面を表示する（ステップＳ４０）。ここで、評価値設定画面は、例えば、「高」、「中」、「低」という文字に各々対応して表示された３つのいわゆるラジオボタンと、「ＯＫ」ボタンおよび「キャンセル」ボタンとが表示されたダイアログボックスとする。そして、ユーザにより上方向キー１６または下方向キー１８が押されるごとに、ラジオボタン内のチェックの表示が順次、循環的に移動し、決定キー１５が押されたときに、チェックが表示されたラジオボックスに対応する評価値（「高」、「中」、「低」のいずれか）が、ユーザの設定した評価値とみなされる。
【００７４】
ラジオボックスのチェック位置が確定すると、「ＯＫ」ボタンを囲むように表示されたカーソルが表示され、この後、ユーザにより上方向キー１６または下方向キー１８が押されると、それに応じて、カーソルの表示が、「ＯＫ」ボタンと「キャンセル」ボタンとを移動する。そして、カーソルの表示が「ＯＫ」ボタンの位置にあるときに、決定キー１５が押されると、ＣＰＵ２１は、そのときにチェックが表示されているラジオボタンに対応する評価値を、表示パネル１１に表示されているコンテンツのコンテンツ名称に対応付けてフラッシュＲＯＭ２４に格納した後、ダイアログボックス（評価値設定画面）の表示を消去する（ステップＳ４１）。このとき、当該コンテンツについて、すでに評価値が設定されていた場合は、その評価値が上書き（更新）される。一方、上記のダイアログボックスにおいて、カーソルが「キャンセル」ボタンの位置に表示されているときに、決定キー１５が押されると、ＣＰＵ２１は、フラッシュＲＯＭ２４内に格納されている評価値を更新することなく、ダイアログボックスの表示を消去する。
【００７５】
次いで、ＣＰＵ２１は、時計２５に対して時刻データの出力を要求して、これに応じて時計２５から出力された現在時刻を示す時刻データを受信し、フラッシュＲＯＭ２４に格納されている評価値更新ログに、今回評価値の設定を行ったコンテンツのコンテンツ名称に対応して記憶されていた時刻データ（評価値設定時刻）に上書き（更新）する（ステップＳ４２）。よって、ステップＳ４２の処理を行うＣＰＵ２１は、図５に示した評価日時更新部１３４に相当する。そして、ステップＳ４２の処理を終えると、ＣＰＵ２１は、図１０に示す評価値設定処理を終了し、図６に示したフローチャートのステップＳ１０の処理へ戻る。
【００７６】
＜ステップＳ１５、「表示終了」処理の説明＞
次に、図１１に示すフローチャートを参照して、図６のステップＳ１５、「表示終了」処理の内容について説明する。まず、図６に示したフローチャートのステップＳ１４の処理において、ＣＰＵ２１が、ユーザから、現在表示パネル１１に表示されているコンテンツの内容の表示を終了する旨の指示が入力されたと判断すると（図６，ステップＳ１４，ＹＥＳ）、ＣＰＵ２１は、現在、表示パネル１１に表示しているページの表示を消去する（ステップＳ５０）。そして、ＣＰＵ２１は、時計２５に対して時刻データの出力を要求して、これに応じて時計２５から出力された現在時刻を示す時刻データを受信し、ＲＡＭ２３に記憶する（ステップＳ５１）。次に、ＣＰＵ２１は、ステップＳ５１の処理でＲＡＭ２３に記憶した時刻データと、ＲＡＭ２３に記憶されていたページ表示開始時刻を示す時刻データ（図９，ステップＳ３３参照）との差を計算し、ステップＳ５０でその表示を消去したコンテンツの表示時間を算出する（ステップＳ５２）。
【００７７】
そして、ＣＰＵ２１は、フラッシュＲＯＭ２４に記憶されているページ表示時間リスト（図４（ｃ）参照）の内容を更新する（ステップＳ５３）。すなわち、ページ表示時間リストのうち、表示パネル１１に表示されていたコンテンツのコンテンツ名称（図４（ｃ）における「コンテンツ名」）に対応する「表示時間」の値に、ステップＳ５２で算出した表示時間を加算する（ステップＳ５３）。これにより、ステップＳ５３の処理を行うＣＰＵ２１は、図５に示した表示時間更新部１３３に相当する。そして、ステップＳ５３の処理を終えると、ＣＰＵ２１は、図１１に示す表示終了処理を終了し、図６に示したフローチャートのステップＳ２の処理へ戻る。
【００７８】
（２）「２．表示制限設定」が選択された場合
図６に戻り、ステップＳ３において、図１に示したメニュー画面で、「２．表示制限設定」をユーザが選択した場合の、ＣＰＵ２１が行う処理の内容について説明する。この場合、ＣＰＵ２１は、まず、ユーザが表示制限の設定を行うコンテンツを選択するための、表示制限コンテンツ選択画面を表示パネル１１へ表示する（図６，ステップＳ１６）。この表示制限コンテンツ選択画面の表示内容および表示方法については、図６のステップＳ４で表示したコンテンツ選択画面と同様であるため、詳しい説明を省略する。ただし、表示制限コンテンツ選択画面のタイトル表示領域に表示される文字列は、「（表示制限コンテンツ選択用）コンテンツ名称一覧」となる。
【００７９】
上記の表示制限コンテンツ選択画面が表示された後、ユーザが方向キー１６〜１９を押すと、ＣＰＵ２１は、押された方向キーに対応する方向へカーソルＣの表示を移動させる。そして、ＣＰＵ２１は、ユーザが決定キー１５を押すまで、ユーザによって押された方向キー１６〜１９に応じて、カーソルＣの表示を移動させる（ステップＳ１７）。そして、ユーザが決定キー１５を押すと、ＣＰＵ２１は、そのときにカーソルＣによって囲まれたコンテンツ名称表示領域に表示されているコンテンツ名称を、ユーザが選択したコンテンツ名称と認識する。次に、フラッシュＲＯＭ２４に記憶されている各コンテンツ名称に対応したコンテンツの属性に基づいて、解除キーの候補とするコンテンツ名称を表示パネル１１に表示する（ステップＳ１８）。
【００８０】
ここで、上述したステップＳ１８の詳細な処理内容について、図１２に示すフローチャートを参照して説明する。まず、ＣＰＵ２１は、フラッシュＲＯＭ２４に記憶されているコンテンツオープンリスト（図４（ｂ）参照）を参照し、各オープンコンテンツ名（コンテンツ名称）のうち、オープン回数が最も多いことを示しているコンテンツ名称を選択する（ステップＳ６０）。次に、ＣＰＵ２１は、時計２５から現在の時刻データを取得した後、フラッシュＲＯＭ２４に記憶されている受信コンテンツログ（図４（ａ）参照）を参照して、各受信コンテンツ名（コンテンツ名称）のうち、外部の情報端末３（図２参照）から直近に受信したコンテンツに対応するコンテンツ名称を選択する（ステップＳ６１）。なお、受信コンテンツログの更新処理の内容については後述する。
【００８１】
次いで、ＣＰＵ２１は、フラッシュＲＯＭ２４に記憶されているページ表示時間リスト（図４（ｃ）参照）を参照し、各コンテンツ名（コンテンツ名称）のうち、表示時間が最も長いコンテンツ名称を選択する（ステップＳ６２）。さらに、ＣＰＵ２１は、時計２５から現在の時刻データを取得した後、フラッシュＲＯＭ２４に記憶されている評価値更新ログ（図４（ｄ）参照）を参照して、各コンテンツ名（コンテンツ名称）のうち、直近に評価値が設定されたことを示しているコンテンツ名称を選択する（ステップＳ６３）。そして、ＣＰＵ２１は、ステップＳ６０〜Ｓ６３で各々選択した４つのコンテンツ名称を、表示パネル１１に表示する（ステップＳ６４）。このとき、表示されたコンテンツ名称のうちユーザがいずれか１つの名称を指定するためのカーソルも表示される。このカーソルは、例えば、表示された各コンテンツ名称のうち、１つを囲むように表示された枠として表示される。このように、ステップＳ６０〜Ｓ６４の処理を行うＣＰＵ２１は、図５に示した候補表示制御部１１２に相当するといえる。
【００８２】
ここで、ステップＳ６０〜Ｓ６３で各々選択したコンテンツ名称が重複した場合は、そのことがユーザにわかるように、そのコンテンツ名称を表示してもよい。たとえば、ある１つのコンテンツが、最も延べ表示時間が長く、かつ、最も表示回数（オープン回数）が多かった場合、そのコンテンツ名称をステップＳ６４で表示する際（この場合、２つの属性に基づく選択が重複するので、表示されるコンテンツ名称の合計数は３となる）、その名称を他のコンテンツ名称の表示態様とは異なる表示態様（例えば、コンテンツ名称の表示を白黒反転させるなど）で表示してもよい。
【００８３】
そして、ＣＰＵ２１は、上方向キー１６または下方向キー１８がユーザによって押されるごとに、カーソルの表示を移動させ、決定キー１５がユーザによって押されたときに、カーソルが表示されていたコンテンツ名称を、ユーザが選択したコンテンツ名称として認識する（ステップＳ６５）。ここで、上述した方向キー１６，１８および決定キー１５に対するユーザの操作は、候補として表示されたコンテンツ対応固有文字列を解除用固有文字列とするための、外部からの指示操作に相当する。次に、ＣＰＵ２１は、ステップＳ６５で選択されたコンテンツ名称が、最もオープン回数が多いコンテンツのコンテンツ名称なのか（ステップＳ６６）、直近に受信したコンテンツのコンテンツ名称なのか（ステップＳ６７）、最も表示時間の長いコンテンツのコンテンツ名称なのか（ステップＳ６８）を、順次判断する。そして、ステップＳ６６〜Ｓ６８の判断において、判断結果が「真」（ＹＥＳ）となった場合は、当該コンテンツ名称を、図６のステップＳ１６およびＳ１７でユーザが選択したコンテンツの解除キーとして、フラッシュＲＯＭ２４に格納する（ステップＳ７０）。よって、ステップＳ６６〜Ｓ７０の処理を行うＣＰＵ２１は、図５に示した解除用コンテンツ名称設定部１２３に相当する。
【００８４】
なお、ステップＳ６８で、ＣＰＵ２１が、最も表示時間が長いコンテンツ名称が選択されなかったと判断した場合（ＮＯ）は、直近に評価値が設定されたコンテンツのコンテンツ名称がユーザに選択されたものと見なし（ステップＳ６９）、ステップＳ７０へ移行し、そのコンテンツ名称を、図６のステップＳ１６およびＳ１７でユーザが選択したコンテンツの解除キーとして、フラッシュＲＯＭ２４に格納する。そして、ステップＳ７０の処理を終えると、ＣＰＵ２１は、図６のステップＳ１８の処理を終え、同図ステップＳ２の処理に戻り、図１に示したメニュー画面を表示パネル１１に表示する。
【００８５】
（３）「３．データ転送」が選択された場合
図６に戻り、ステップＳ３において、図１に示したメニュー画面で、「３．データ転送」をユーザが選択した場合の、ＣＰＵ２１が行う処理の内容について説明する。この場合、ＣＰＵ２１は、まず、図２に示した外部の情報端末３に対し、通信Ｉ／Ｆ３０を介してコンテンツの転送を要求する（ステップＳ１９）。そして、これに応じて情報端末３からコンテンツが転送されてきた場合、ＣＰＵ２１は、通信Ｉ／Ｆ３０を介してこれを受信し、メモリカード２に記憶させる（ステップＳ２０）。よって、ステップＳ１９およびＳ２０の処理を行うＣＰＵ２１および通信Ｉ／Ｆ３０は、図５に示した通信部４００に相当する。
【００８６】
また、ＣＰＵ２１は、時計２５に対して時刻データの出力を要求し、これに応じて時計２５から出力された時刻データ（受信日時）と、メモリカード２に記憶したコンテンツのコンテンツ名称（受信コンテンツ名）とを対応付けて、図４（ａ）に示した受信コンテンツログに新たに追加する（ステップＳ２１）。ここで、上述したコンテンツ名称と、その受信日時とを、受信コンテンツログに追加する前に、受信コンテンツログ内に、上述したコンテンツ名称が既に書き込まれているか否かをチェックし、既に書き込まれていた場合は、受信日時だけを更新するようにする。このように、ステップＳ２１の処理を行うＣＰＵ２１は、図５に示した受信日時付与部１３１に相当する。
そして、ステップＳ２１の処理を終えると、ＣＰＵ２１は、ステップＳ２の処理に戻り、図１に示したメニュー画面を表示パネル１１に表示する。
【００８７】
以上説明したように、本実施形態における表示装置１では、コンテンツの表示機能について制限が掛けられたコンテンツについて、ユーザが、コンテンツ名称を解除キーとして設定するときに、受信日時が直近のコンテンツのコンテンツ名称、表示回数が最も多いコンテンツのコンテンツ名称、表示時間が最も長いコンテンツのコンテンツ名称、および、ユーザにより評価値が設定された日時が直近のコンテンツのコンテンツ名称が、ユーザに対して解除キーの候補として提示される。これら候補として提示されるコンテンツ名称は、いずれもユーザの記憶に残る可能性の高いコンテンツの名称であるため、ユーザは、自身が忘れにくい解除キーを容易に設定することができる。
【００８８】
なお、図１２に示した解除キー候補表示処理では、受信日時が直近のコンテンツのコンテンツ名称、表示回数が最も多いコンテンツのコンテンツ名称、表示時間が最も長いコンテンツのコンテンツ名称、および、ユーザにより評価値が設定された日時が直近のコンテンツのコンテンツ名称が、ユーザに対して解除キーの候補として提示していたが、これらのうち、一部のコンテンツ名称をのみを表示するようにしてもよい。この場合、フラッシュＲＯＭ２４に記憶する各種コンテンツの属性（図４（ａ）〜（ｄ）参照）のうち、ユーザに提示しない属性に関するものについては、その記録を省き、また、その属性情報の更新に関する処理を省くことができるのはいうまでもない。
【００８９】
また、図６に示した全体処理のステップＳ８において、設定されていた解除キーが選択された場合（ステップＳ８，ＹＥＳ）、そのままそのコンテンツの内容を表示する処理（ステップＳ９）を行っていたが、ステップＳ９の処理を行う前に、図１２に示した解除キー候補表示処理を実行し、次に表示制限が行われた場合の解除キーを設定できるようにしても良い。この場合、例えば機密性の高いコンテンツについて、逐一、図６のステップＳ２で表示されるメニュー画面から「２．表示制限設定」を選択して解除キーを設定する必要がなくなり、操作が煩雑にならないという利点がある。また、機密性の高いコンテンツを表示させるごとに、解除キーを再設定する機会がユーザに与えられるため、新たな解除キーが設定される可能性が高くなり、ユーザ以外の者による制限の解除をより困難にすることができる。
【００９０】
また、図１２に示した解除キー候補表示処理では、解除キーが、ユーザに対して候補として提示したコンテンツ名称の中から選択されることを前提としていたが、候補として表示したコンテンツ名称がユーザの意に沿わなかった場合、次の候補となるコンテンツ名称を提示できるようにしてもよい。以下、この場合における解除キー候補表示処理の内容について、図１３および図１４に示すフローチャートを参照して説明する。ここで、図１３および図１４に示す解除キー候補表示処理は、いずれもＣＰＵ２１によって、図１２に示した解除キー候補表示処理の代わりに実行されるものである。また、以下では、解除キーの候補となるコンテンツ名称の選択に際し、コンテンツオープンリスト（図４（ｂ）参照）を参照した場合について記載しているが、これに限らず、受信コンテンツログ、ページ表示時間リスト、または、評価値更新ログのいずれを参照してもよい。
【００９１】
図１３に示す解除キー候補表示処理において、まず、ＣＰＵ２１は、フラッシュＲＯＭ２４に記憶されているコンテンツオープンリスト（図４（ｂ）参照）を参照し、各オープンコンテンツ名（コンテンツ名称）のうち、オープン回数が最も多いことを示しているコンテンツ名称を選択する（ステップＳ８０）。次に、ＣＰＵ２１は、ステップＳ８０で選択したコンテンツ名称を、表示パネル１１に表示する（ステップＳ８１）。このとき、ＣＰＵ２１は、選択したコンテンツ名称とともに、「ＯＫ」ボタンおよび「キャンセル」ボタンを、カーソルとともに表示パネル１１に表示する。ここで、ステップＳ８０およびＳ８１の処理を行うＣＰＵ２１は、図５に示した候補表示制御部１０２に相当するといえる。
【００９２】
また、ＣＰＵ２１は、上方向キー１６と下方向キー１８に対する操作に応じて、カーソルの表示を「ＯＫ」ボタンおよび「キャンセル」ボタンの間で交互に移動させる。そして、決定キー１５が押されたときに、カーソルが表示されていたボタンの内容がユーザによって選択された指示であると認識する（ステップＳ８２）。次いでＣＰＵ２１は、ステップＳ８１で提示したコンテンツ名称が、解除キーとして採用されたか否かを判断する（ステップＳ８３）。ここで、ユーザが、「キャンセル」ボタンを選択した場合（ＮＯ）は、ＣＰＵ２１は、ステップＳ８１で提示した解除キーの候補をユーザが採用しなかったとみなし、再度、コンテンツオープンリストを参照して、次にオープン回数の多いコンテンツに対応するコンテンツ名称を次の解除キーの候補として選択する（ステップＳ８４）。そして、ＣＰＵ２１は、ステップＳ８１の処理へ移行し、ステップＳ８４で選択したコンテンツ名称を、次の解除キーの候補としてユーザに提示する。
【００９３】
以下、ユーザがステップＳ８３において、ユーザが「ＯＫ」ボタンを選択したと判断するまで、ＣＰＵ２１は、ステップＳ８１〜Ｓ８４の処理を繰り返し行う。そして、ステップＳ８３で、ユーザが「ＯＫ」ボタンを選択したと判断した場合（ＹＥＳ）は、ＣＰＵ２１は、そのときにステップＳ８１でユーザに提示していたコンテンツ名称を、図６のステップＳ１６およびＳ１７でユーザが選択したコンテンツの解除キーとして、フラッシュＲＯＭ２４に格納する（ステップＳ８５）。これにより、ステップＳ８５の処理を行うＣＰＵ２１は、図５に示した解除キー設定部１０３に相当する。また、上述した方向キー１６，１８および決定キー１５に対するユーザの操作は、候補として表示されたコンテンツ対応固有文字列を解除用固有文字列とするための、外部からの指示操作に相当する。
【００９４】
以上のように、図１３に示した解除キー候補表示処理では、解除キーの候補として表示したコンテンツ名称が、ユーザによって解除キーに採用されなかった場合は、当該コンテンツ名称を選択する際に参照した属性と、同じ属性に基づいて次の解除キーの候補となるコンテンツ名称が表示される。これにより、ユーザは、ユーザ自身の主観に基づいて、記憶に残りやすいコンテンツ名称を解除キーとして選択することができる。
【００９５】
なお、ステップＳ８１〜Ｓ８４の処理を繰り返した結果、コンテンツオープンリストの最後のコンテンツ名称（表示回数が最も少ないコンテンツに対応するコンテンツ名称）まで達した場合、次にステップＳ８４の処理が行われたときは、再び表示回数が最も多いコンテンツに対応するコンテンツ名称を表示し、以下、循環的にコンテンツオープンリストからコンテンツ名称を選択するようにしてもよい。また、たとえば、所定番目に表示回数が多いコンテンツ名称を候補として表示し、これが解除キーとしてユーザに採用されなかった場合、再び表示回数が最も多いコンテンツに対応するコンテンツ名称を表示するようにしてもよい。すなわち、コンテンツオープンリスト内の所定範囲で、循環的に、候補となるコンテンツ名称を順次ユーザに提示するようにしてもよい。
【００９６】
次に、図１４のフローチャートを参照して、図１３に示した解除キー候補表示処理とは異なる処理を行う解除キー候補表示処理の内容について説明する。ここで、図１４に示す解除キー候補表示処理は、一旦ユーザに対して提示したコンテンツ名称が、ユーザに採用されなかった場合、これとは異なるコンテンツ名称を次の解除キーの候補としてユーザに提示する点では、図１３に示した解除キー候補表示処理と同じであるが、次の候補として表示するコンテンツ名称の選択方法が異なっている。
【００９７】
図１４において、まず、ＣＰＵ２１は、ＲＡＭ２３に格納されている変数Ｉの値を０にする（ステップＳ９０）。この変数Ｉは、候補としてユーザに提示するコンテンツ名称を選択する際に、参照するコンテンツの属性の種類を切り替えるために利用される変数である。次にＣＰＵ２１は、フラッシュＲＯＭ２４に記憶されているコンテンツオープンリスト（図４（ｂ）参照）を参照し、各オープンコンテンツ名（コンテンツ名称）のうち、オープン回数が最も多いことを示しているコンテンツ名称を選択する（ステップＳ９１）。そして、ＣＰＵ２１は、ステップＳ９１で選択したコンテンツ名称を、表示パネル１１に表示する（ステップＳ９２）。このとき、ＣＰＵ２１は、選択したコンテンツ名称とともに、「ＯＫ」ボタンおよび「キャンセル」ボタンを、カーソルとともに表示パネル１１に表示する。ここで、ステップＳ９１およびＳ９２の処理を行うＣＰＵ２１は、図５に示した候補表示制御部１０２に相当するといえる。
【００９８】
また、ＣＰＵ２１は、上方向キー１６と下方向キー１８に対する操作に応じて、カーソルの表示を「ＯＫ」ボタンおよび「キャンセル」ボタンの間で交互に移動させる。そして、決定キー１５が押されたときに、カーソルが表示されていたボタンの内容がユーザによって選択された指示であると認識する（ステップＳ９３）。ここで、上述した方向キー１６，１８および決定キー１５に対するユーザの操作は、候補として表示されたコンテンツ対応固有文字列を解除用固有文字列とするための、外部からの指示操作に相当する。次いでＣＰＵ２１は、ステップＳ９２で提示したコンテンツ名称が、解除キーとして採用されたか否かを判断する（ステップＳ９４）。ここで、ユーザが、「キャンセル」ボタンを選択した場合（ＮＯ）は、ＣＰＵ２１は、ステップＳ９２で提示した解除キーの候補をユーザが採用しなかったとみなし、変数Ｉの値に「１」を加算して（ステップＳ９５）、変数Ｉの値が「１」であるか否かを判断する（ステップＳ９６）。変数Ｉの値が「１」であった場合（ＹＥＳ）、ＣＰＵ２１は、フラッシュＲＯＭ２４に記憶されている受信コンテンツログ（図４（ａ）参照）を参照し、各受信コンテンツ名（コンテンツ名称）のうち、情報端末３から直近に受信したコンテンツのコンテンツ名称を選択する（ステップＳ９７）。そして、ＣＰＵ２１は、ステップＳ９２の処理へ移行し、ステップＳ９７で選択したコンテンツ名称を、次の解除キーの候補としてユーザに提示する。
【００９９】
この後、上述したステップＳ９３の処理を経た後、再びステップＳ９４で、ステップＳ９７で選択したコンテンツ名称が解除キーとしてユーザに採用されなかった場合（ＮＯ）、ステップＳ９５で、ＣＰＵ２１は、現在の変数Ｉの値に「１」を加算する（すなわちＩ＝「２」）。この結果、ステップＳ９６の判断結果がＮＯとなるため、次にＣＰＵ２１は、変数Ｉの値が「２」であるか否かを判断する（ステップＳ９８）。このとき、変数Ｉの値は「２」になっていることから（ステップＳ９８，ＹＥＳ）、ＣＰＵ２１は、フラッシュＲＯＭ２４に記憶されているページ表示時間リスト（図４（ｃ）参照）を参照し、各コンテンツ名（コンテンツ名称）のうち、最も表示時間の長いコンテンツのコンテンツ名称を選択する（ステップＳ９９）。そして、ＣＰＵ２１は、ステップＳ９２の処理へ移行し、ステップＳ９９で選択したコンテンツ名称を、次の解除キーの候補としてユーザに提示する。
【０１００】
そして、上述したステップＳ９３の処理を経た後、再びステップＳ９４で、ステップＳ９９で選択したコンテンツ名称が解除キーとしてユーザに採用されなかった場合（ＮＯ）、ＣＰＵ２１は、ステップＳ９５で、現在の変数Ｉの値に「１」を加算する（すなわちＩ＝「３」）。この結果、ステップＳ９６およびＳ９８の判断結果がともにＮＯとなるため、次にＣＰＵ２１は、変数Ｉの値が「３」であるか否かを判断する（ステップＳ１００）。このとき、変数Ｉの値は「３」になっていることから（ステップＳ１００，ＹＥＳ）、ＣＰＵ２１は、フラッシュＲＯＭ２４に記憶されている評価値更新ログ（図４（ｄ）参照）を参照し、各コンテンツ名（コンテンツ名称）のうち、直近に評価値が設定されたコンテンツのコンテンツ名称を選択する（ステップＳ１０１）。そして、ＣＰＵ２１は、ステップＳ９２の処理へ移行し、ステップＳ１０１で選択したコンテンツ名称を、次の解除キーの候補としてユーザに提示する。
【０１０１】
このとき、ステップ１０１で選択したコンテンツ名称が、ユーザに選択されなかった場合（ステップＳ９４，ＮＯ）は、ステップＳ９５で変数Ｉの値に「１」が加算され（すなわちＩ＝「４」）、この結果、ステップＳ９６，Ｓ９８，Ｓ１００の判断結果がいずれもＮＯとなる。これによりＣＰＵ２１は、ステップＳ９０の処理に戻り、変数Ｉの値を「０」にクリアする。以上の処理により、ステップＳ９２でユーザに提示されたコンテンツ名称が、解除キーとしてユーザに採用されるまで、ステップＳ９０〜Ｓ１０１の処理が繰り返し実行される。すなわち、ユーザに対して解除キーの候補として表示されるコンテンツ名称が、オープン回数の最も多いコンテンツのコンテンツ名称→受信日時が直近のコンテンツのコンテンツ名称→表示時間が最も長いコンテンツのコンテンツ名称→設定日時が直近のコンテンツのコンテンツ名称というように、順次、循環的にユーザへ提示される。
【０１０２】
そして、ステップＳ９４において、ユーザが「ＯＫ」ボタンを選択したと判断した場合（ＹＥＳ）は、ＣＰＵ２１は、そのときにステップＳ９２でユーザに提示していたコンテンツ名称を、図６のステップＳ１６およびＳ１７でユーザが選択したコンテンツの解除キーとして、フラッシュＲＯＭ２４に格納する（ステップＳ１０２）。よって、ステップＳ１０２の処理を行うＣＰＵ２１は、図５に示した解除キー設定部１０３に相当する。
【０１０３】
以上のように、図１４に示した解除キー候補表示処理では、解除キーの候補として表示したコンテンツ名称が、ユーザによって解除キーに採用されなかった場合は、当該コンテンツ名称を選択する際に参照した属性と、異なる属性に基づいて次の解除キーの候補となるコンテンツ名称が表示される。これにより、候補として表示されたコンテンツ名称を、ユーザが解除キーとして採用しなかった場合、そのコンテンツ名称とは異なる観点から、ユーザの記憶に残りやすいであろうコンテンツのコンテンツ名称が、次の候補のコンテンツ名称として表示される。このため、ユーザが解除キーとして採用したいコンテンツ名称を、少ない処理で提示することができる可能性を高くすることができる。
【０１０４】
なお、図１４に示した解除キー候補表示処理では、図１３に示した解除キー候補表示処理の要素を取り込むことも可能である。すなわち、ステップＳ９１，Ｓ９７，Ｓ９９，Ｓ１０１で選択されたコンテンツ名称が、いずれも解除キーで選択されなかった場合、再度、ステップＳ９１で、コンテンツオープンリストに基づいて解除キーの候補となるコンテンツ名称を選択する際に、再度、最もオープン回数の多いコンテンツのコンテンツ名称を選択するのではなく、２番目にオープン回数の多いコンテンツのコンテンツ名称を選択するようにしてもよい。すなわち、２巡目以降に図４（ａ）〜（ｄ）に示した各属性に基づいてコンテンツ名称を選択する場合は、それぞれ１巡するごとに、前にユーザに提示したコンテンツ名称に対応するコンテンツの、（１）次に受信したコンテンツ、（２）次にオープン回数が多いコンテンツ、（３）次に表示時間が長いコンテンツ、（４）次に設定値が設定されたコンテンツの、コンテンツ名称を選択していき、順次、解除キーの候補としてユーザに提示するようにしてもよい。
【０１０５】
さらに、図１２に示した解除キー候補表示処理の内容にも、図１３に示した解除キー候補表示処理の要素を取り込むことが可能である。この場合、ステップＳ６８の判断結果がＮＯとなった場合、ステップＳ６９の処理を行う代わりに、直近に設定値が設定されたコンテンツのコンテンツ名称が選択されたか否かを判断する。そして、当該コンテンツ名称が選択された場合は、ステップＳ７０の処理へ移行するが、選択されなかった場合は、ステップＳ６０〜Ｓ６３の処理を行うこととする。このとき、各々コンテンツ属性において、前回表示したコンテンツ名称に対応するコンテンツの、（１）次に受信したコンテンツ、（２）次にオープン回数が多いコンテンツ、（３）次に表示時間が長いコンテンツ、（４）次に設定値が設定されたコンテンツの、コンテンツ名称を選択していき、ステップＳ６４で、それらのコンテンツ名称を一覧表示する。そして、提示したコンテンツ名称がユーザによって解除キーとして採用されるまで、上述した処理を繰り返す。
【０１０６】
このような、解除キー候補表示処理を行うことで、より多様な観点からユーザが忘れにくいであろうファイル名称を、豊富にユーザへ提示することができる。
【符号の説明】
【０１０７】
１  表示装置
２  メモリカード
３  情報端末
１１  表示パネル
１２  操作キー
２１  ＣＰＵ
２２  ＲＯＭ
２３  ＲＡＭ
２４  フラッシュＲＯＭ
２５  時計
２６  表示コントローラ
２９  メモリカードＩ／Ｆ
３０  通信Ｉ／Ｆ
１００  制御部
１１０  表示制御部
１１１  一覧表示制御部
１１２  候補表示制御部
１２０  制限制御部
１２１  機能制限部
１２２  解除制御部
１２３  解除用コンテンツ名称設定部
１３０  属性更新部
１３１  受信日時付与部
１３２  表示回数更新部
１３３  表示時間更新部
１３４  評価日時更新部
２００  記憶部
２０１  コンテンツ記憶部
２０２  解除用コンテンツ名称記憶部
２０３  コンテンツ属性記憶部
３００  選択部
４００  通信部
５００  表示部
【図１】
2010160663.tif 000003
【図２】
2010160663.tif 000004
【図３】
2010160663.tif 000005
【図４】
2010160663.tif 000006
【図５】
2010160663.tif 000007
【図６】
2010160663.tif 000008
【図７】
2010160663.tif 000009
【図８】
2010160663.tif 000010
【図９】
2010160663.tif 000011
【図１０】
2010160663.tif 000012
【図１１】
2010160663.tif 000013
【図１２】
2010160663.tif 000014
【図１３】
2010160663.tif 000015
【図１４】
2010160663.tif 000016